(57)【要約】【課題】簡易的に概略の電気使用量を測定することができる赤外線リモコン機能付き携帯機器及び該携帯機器を利用した電気使用量の測定方法の提供。【解決手段】携帯機器に、電源ＯＮ／ＯＦＦ制御信号を赤外線信号に変換して電気製品に送出する赤外線リモコン手段と、電源ＯＮ／ＯＦＦの時刻や入力された定格電力、待機電力、単位電力量あたりの電気料金などの情報を記憶する記憶手段と、キー操作に応じた電源ＯＮ／ＯＦＦ制御信号を赤外線リモコン手段に送信する共に、記憶手段に電源ＯＮ／ＯＦＦの時刻を記憶させ、記憶された電源ＯＮ／ＯＦＦの時刻に基づいて電源ＯＮ又は電源ＯＦＦの累積時間を算出し、記録された定格電力や待機電力、単位電力量あたりの電気料金などに基づいて電気製品毎の使用電力量や電気料金を算出し、電気製品の電源状態や算出した情報を表示手段に表示させる制御手段とを備える。【選択図】図１
2005347839.tif 000002
【特許請求の範囲】
【請求項１】
赤外線リモートコントロール機能を備えた携帯機器において、
該携帯機器で制御可能な１又は複数の電気製品に対して、
前記電気製品毎に、該電気製品の電源をＯＮ／ＯＦＦ制御するための電源制御信号を送出した時刻を記憶手段に記憶させ、前記時刻に基づいて、該電気製品の電源ＯＮ状態の時間及び電源ＯＦＦ状態の時間を算出し、算出した前記電源ＯＮ状態の時間及び前記電源ＯＦＦ状態の時間と、予め前記記憶手段に記憶された前記電気製品の定格電力及び待機電力とに基づいて、前記電気製品の消費電力を算出する制御手段を有することを特徴とする携帯機器。
【請求項２】
赤外線リモートコントロール機能を備えた携帯機器において、
該携帯機器で制御可能な１又は複数の電気製品に対して、
前記電気製品毎に、該電気製品の電源をＯＮ／ＯＦＦ制御するための電源制御信号を送出した時刻を記憶手段に記憶させ、前記時刻に基づいて、該電気製品の電源ＯＮ状態の時間及び電源ＯＦＦ状態の時間を算出し、算出した前記電源ＯＮ状態の時間及び前記電源ＯＦＦ状態の時間と、予め前記記憶手段に記憶された前記電気製品の消費電力及び待機電力とに基づいて、前記電気製品の消費電力を算出し、算出した前記消費電力と予め前記記憶手段に記憶された単位消費電力あたりの電気料金とに基づいて、前記電気製品に対する電気料金を算出する制御手段を有することを特徴とする携帯機器。
【請求項３】
制御手段では、前記電源制御信号を送出した後、予め定められた時間が経過する前に次の電源制御信号が送出された場合に、後の前記電源制御信号を送出した時刻のみを前記記憶手段に記憶させる制御を行うことを特徴とする請求項１又は２に記載の携帯機器。
【請求項４】
制御手段では、予め定められたキーが操作された場合に、前記携帯機器で認識している前記電気製品の電源状態を、電源ＯＮ状態から電源ＯＦＦ状態、又は、電源ＯＦＦ状態から電源ＯＮ状態に変更する制御を行うことを特徴とする請求項１乃至３のいずれか一に記載の携帯機器。
【請求項５】
前記制御手段は、前記携帯機器で認識している前記電気製品の電源状態、前記電源ＯＮ状態の時間、前記電源ＯＦＦ状態の時間、前記消費電力、前記電気料金の少なくとも１つを表示手段に表示させる制御を行うことを特徴とする請求項１乃至４のいずれか一に記載の携帯機器。
【請求項６】
前記制御手段は、前記電源制御信号を送出した時刻、前記電源ＯＮ状態の時間、前記電源ＯＦＦ状態の時間、前記消費電力、前記電気料金の少なくとも１つを、通信手段を用いて、通信ネットワークを介して接続されているコンピュータ機器に送信する制御を行うことを特徴とする請求項１乃至５のいずれか一に記載の携帯機器。
【請求項７】
赤外線リモートコントロール機能を備えた携帯機器を用いた電気製品の消費電力測定方法であって、
該携帯機器で制御可能な１又は複数の電気製品に対して、
前記電気製品毎に、該電気製品の電源をＯＮ／ＯＦＦ制御するための電源制御信号を送出した時刻を記憶手段に記憶させる第１のステップと、
前記時刻に基づいて、該電気製品の電源ＯＮ状態の時間及び電源ＯＦＦ状態の時間を算出する第２のステップと、
算出した前記電源ＯＮ状態の時間及び前記電源ＯＦＦ状態の時間と、予め前記記憶手段に記憶された前記電気製品の定格電力及び待機電力とに基づいて、前記電気製品の消費電力を算出する第３のステップと、を少なくとも有することを特徴とする携帯機器を用いた電気製品の消費電力測定方法。
【請求項８】
赤外線リモートコントロール機能を備えた携帯機器を用いた電気製品の消費電力測定方法であって、
該携帯機器で制御可能な１又は複数の電気製品に対して、
前記電気製品毎に、該電気製品の電源をＯＮ／ＯＦＦ制御するための電源制御信号を送出した時刻を記憶手段に記憶させる第１のステップと、
前記時刻に基づいて、該電気製品の電源ＯＮ状態の時間及び電源ＯＦＦ状態の時間を算出する第２のステップと、
算出した前記電源ＯＮ状態の時間及び前記電源ＯＦＦ状態の時間と、予め前記記憶手段に記憶された前記電気製品の定格電力及び待機電力とに基づいて、前記電気製品の消費電力を算出する第３のステップと、
算出した前記消費電力と予め前記記憶手段に記憶された単位消費電力あたりの電気料金とに基づいて、前記電気製品に対する電気料金を算出する第４のステップと、を少なくとも有することを特徴とする携帯機器を用いた電気製品の消費電力測定方法。
【請求項９】
前記第１のステップでは、前記電源制御信号を送出した後、予め定められた時間が経過する前に次の電源制御信号が送出された場合には、後の前記電源制御信号を送出した時刻のみを記憶手段に記憶させることを特徴とする請求項７又は８に記載の携帯機器を用いた電気製品の消費電力測定方法。
【請求項１０】
予め定められたキーが操作された場合に、前記携帯機器で認識している前記電気製品の電源状態を、電源ＯＮ状態から電源ＯＦＦ状態、又は、電源ＯＦＦ状態から電源ＯＮ状態に変更するステップを有することを特徴とする請求項７乃至９のいずれか一に記載の携帯機器を用いた電気製品の消費電力測定方法。
【請求項１１】
前記携帯機器で認識している前記電気製品の電源状態、前記電源ＯＮ状態の時間、前記電源ＯＦＦ状態の時間、前記消費電力、前記電気料金の少なくとも１つを表示手段に表示させるステップを有することを特徴とする請求項７乃至１０のいずれか一に記載の携帯機器を用いた電気製品の消費電力測定方法。
【請求項１２】
前記電源制御信号を送出した時刻、前記電源ＯＮ状態の時間、前記電源ＯＦＦ状態の時間、前記消費電力、前記電気料金の少なくとも１つを、通信手段を用いて、通信ネットワークを介して接続されているコンピュータ機器に送信するステップを有することを特徴とする請求項７乃至１１のいずれか一に記載の携帯機器を用いた電気製品の消費電力測定方法。
【発明の詳細な説明】
【技術分野】
【０００１】
本発明は、赤外線リモートコントロール機能を備えた携帯機器及び該携帯機器を利用した電気製品の使用電力量測定方法に関する。
【背景技術】
【０００２】
家庭では様々な電気製品が利用されており、テレビやビデオ、エアコンなどの電気製品は赤外線リモートコントロール（以下、リモコンと略す。）機能を備えており、赤外線リモコンを用いて離れた位置からでも電源のＯＮ／ＯＦＦなどの制御を行うことができる。
【０００３】
一方、最近では赤外線リモコン機能を搭載した携帯電話機が登場しており、この携帯電話機には各メーカーの電気製品に使用されている赤外線リモコンのデータが予め搭載され、電気製品をリモコン制御可能となっている。さらに、インターネットのサイトなどから新たなメーカーのリモコンデータをダウンロードすることによって、複数の電気製品を１台の携帯電話機で切り替えながらリモコン制御できるようになっている（例えば、下記特許文献１）。
【０００４】
【特許文献１】特開２００３−２６４６１２号公報（第３−５頁、第１図）
【発明の開示】
【発明が解決しようとする課題】
【０００５】
一般家庭では、通常一ヶ月単位での電力使用量と電気料金を電力会社から通知されるが、個々の電気製品がどれ位の電気を使用したか、また、電気料金がいくらかかったかなどを把握するのは困難であり、家庭内のそれぞれの電気製品が使用する電力量を測定するためには、電気製品毎に個別に電力量計などを設置する必要があり、簡単に電気製品ごとの電力使用量や電気料金を把握することは困難であった。
【０００６】
本発明は、上記問題点に鑑みてなされたものであって、その主たる目的は、簡易的に概略の電気使用量を測定することができる赤外線リモコン機能付き携帯機器及び該携帯機器を利用した電気使用量の測定方法を提供することにある。
【課題を解決するための手段】
【０００７】
上記目的を達成するため、本発明の携帯機器は、赤外線リモートコントロール機能を備えた携帯機器において、該携帯機器で制御可能な１又は複数の電気製品に対して、前記電気製品毎に、該電気製品の電源をＯＮ／ＯＦＦ制御するための電源制御信号を送出した時刻を記憶手段に記憶させ、前記時刻に基づいて、該電気製品の電源ＯＮ状態の時間及び電源ＯＦＦ状態の時間を算出し、算出した前記電源ＯＮ状態の時間及び前記電源ＯＦＦ状態の時間と、予め前記記憶手段に記憶された前記電気製品の定格電力及び待機電力とに基づいて、前記電気製品の消費電力を算出する制御手段を有するものである。
【０００８】
また、本発明の携帯機器は、赤外線リモートコントロール機能を備えた携帯機器において、該携帯機器で制御可能な１又は複数の電気製品に対して、前記電気製品毎に、該電気製品の電源をＯＮ／ＯＦＦ制御するための電源制御信号を送出した時刻を記憶手段に記憶させ、前記時刻に基づいて、該電気製品の電源ＯＮ状態の時間及び電源ＯＦＦ状態の時間を算出し、算出した前記電源ＯＮ状態の時間及び前記電源ＯＦＦ状態の時間と、予め前記記憶手段に記憶された前記電気製品の消費電力及び待機電力とに基づいて、前記電気製品の消費電力を算出し、算出した前記消費電力と予め前記記憶手段に記憶された単位消費電力あたりの電気料金とに基づいて、前記電気製品に対する電気料金を算出する制御手段を有するものである。
【０００９】
本発明においては、制御手段では、前記電源制御信号を送出した後、予め定められた時間が経過する前に次の電源制御信号が送出された場合に、後の前記電源制御信号を送出した時刻のみを前記記憶手段に記憶させる制御を行う構成とすることができる。
【００１０】
また、本発明においては、制御手段では、予め定められたキーが操作された場合に、前記携帯機器で認識している前記電気製品の電源状態を、電源ＯＮ状態から電源ＯＦＦ状態、又は、電源ＯＦＦ状態から電源ＯＮ状態に変更する制御を行う構成とすることもできる。
【００１１】
また、本発明においては、前記制御手段は、前記携帯機器で認識している前記電気製品の電源状態、前記電源ＯＮ状態の時間、前記電源ＯＦＦ状態の時間、前記消費電力、前記電気料金の少なくとも１つを表示手段に表示させる制御を行うことが好ましい。
【００１２】
また、本発明においては、前記制御手段は、前記電源制御信号を送出した時刻、前記電源ＯＮ状態の時間、前記電源ＯＦＦ状態の時間、前記消費電力、前記電気料金の少なくとも１つを、通信手段を用いて、通信ネットワークを介して接続されているコンピュータ機器に送信する制御を行う構成とすることもできる。
【００１３】
また、本発明の方法は、赤外線リモートコントロール機能を備えた携帯機器を用いた電気製品の消費電力測定方法であって、該携帯機器で制御可能な１又は複数の電気製品に対して、前記電気製品毎に、該電気製品の電源をＯＮ／ＯＦＦ制御するための電源制御信号を送出した時刻を記憶手段に記憶させる第１のステップと、前記時刻に基づいて、該電気製品の電源ＯＮ状態の時間及び電源ＯＦＦ状態の時間を算出する第２のステップと、算出した前記電源ＯＮ状態の時間及び前記電源ＯＦＦ状態の時間と、予め前記記憶手段に記憶された前記電気製品の定格電力及び待機電力とに基づいて、前記電気製品の消費電力を算出する第３のステップと、を少なくとも有するものである。
【００１４】
また、本発明の方法は、赤外線リモートコントロール機能を備えた携帯機器を用いた電気製品の消費電力測定方法であって、該携帯機器で制御可能な１又は複数の電気製品に対して、前記電気製品毎に、該電気製品の電源をＯＮ／ＯＦＦ制御するための電源制御信号を送出した時刻を記憶手段に記憶させる第１のステップと、前記時刻に基づいて、該電気製品の電源ＯＮ状態の時間及び電源ＯＦＦ状態の時間を算出する第２のステップと、算出した前記電源ＯＮ状態の時間及び前記電源ＯＦＦ状態の時間と、予め前記記憶手段に記憶された前記電気製品の定格電力及び待機電力とに基づいて、前記電気製品の消費電力を算出する第３のステップと、算出した前記消費電力と予め前記記憶手段に記憶された単位消費電力あたりの電気料金とに基づいて、前記電気製品に対する電気料金を算出する第４のステップと、を少なくとも有するものである。
【００１５】
このように、本発明の構成によれば、テレビやエアコンなどの電気製品の電源ＯＮ／ＯＦＦ制御等が可能な赤外線リモコン機能付きの携帯機器では、電気製品の電源をＯＮ又はＯＦＦ制御した時刻が記憶されるため、この時刻に基づいて、ある一定期間（たとえば、一週間とか一ヶ月）の累計の使用時間を算出することができる。また、電気製品ごとの定格電力や待機電力、単位電力量あたりの電気料金を予め設定しておくことによって、リモコンで制御した電気製品ごとの一定期間内の概算の使用電力量や電気料金を算出することができる。
【発明の効果】
【００１６】
本発明によれば、専用の電力量計などを使わなくても、電気製品ごとの概略の使用電力量や電気料金を簡単に把握することができる。
【００１７】
その理由は、テレビやエアコンなどの電気製品の電源ＯＮ／ＯＦＦ制御等が可能な赤外線リモコン機能を備えた携帯機器に、電気製品の電源のＯＮ／ＯＦＦ制御の時刻を記憶し、記憶した時刻に基づいて電気製品の電源ＯＮ時間又は待機時間を算出し、予め記憶された定格電力や待機電力、単位電力量あたりの電気料金に基づいて使用電力量や使用電気料金を算出する制御手段を備え、該制御手段により算出した使用電力量や使用電気料金を表示手段に表示させるからである。
【発明を実施するための最良の形態】
【００１８】
本発明の赤外線リモコン付き携帯機器は、その好ましい一実施の形態において、携帯機器としての一般的な手段（無線通信手段、計時手段、操作手段、表示手段など）に加えて、電源ＯＮ／ＯＦＦ制御信号を赤外線信号に変換して電気製品に送出する赤外線リモコン手段と、電源ＯＮ／ＯＦＦの時刻や入力された定格電力、待機電力、単位電力量あたりの電気料金などの情報を記憶する記憶手段と、キー操作に応じた電源ＯＮ／ＯＦＦ制御信号を赤外線リモコン手段に送信する共に、記憶手段に電源ＯＮ／ＯＦＦの時刻を記憶させ、記憶された電源ＯＮ／ＯＦＦの時刻に基づいて電源ＯＮ／ＯＦＦ制御信号が送出されてから次に電源ＯＮ／ＯＦＦ制御信号が送出されるまでの電源ＯＮ又は電源ＯＦＦの累積時間を算出し、記録された定格電力や待機電力、単位電力量あたりの電気料金などに基づいて電気製品毎の使用電力量や電気料金を算出し、電気製品の電源状態や算出した累積時間、使用電力量、電気料金等の情報を表示手段に表示させる制御手段とを備えるものであり、赤外線リモコン付き携帯機器で電源のＯＮ／ＯＦＦが制御される電気製品に関して、簡単に使用時間や利用電力量、電気料金などを知ることができる。
【実施例１】
【００１９】
上記した本発明の実施の形態についてさらに詳細に説明すべく、本発明の第１の実施例に係る赤外線リモコン機能付き携帯機器及び該携帯機器を利用した電気製品の使用電力量の測定方法について、図１乃至図６を参照して説明する。図１は、第１の実施例に係る赤外線リモコン機能付き携帯機器の構成を示すブロック図であり、図２は、該携帯機器を用いた電気製品の使用電力量の測定手順を示すフローチャート図、図３及び図４は、電源ＯＮ／ＯＦＦ制御信号の送出と電源ＯＮ時間及び待機時間を計測する方法を説明する図である。また、図５及び図６は携帯機器の表示部に表示される画面構成例を示す図である。
【００２０】
まず、本実施例の赤外線リモコン機能付き携帯機器の構成について、携帯電話機を例にして図１を参照して説明する。制御部１０４は、キー操作部１０５からの入力に応じたリモコン制御データをメモリ１０６から呼び出して赤外線リモコン回路１０１に送出し、赤外線リモコン回路１０１は、制御データに応じた制御信号（電源ＯＮ／ＯＦＦ制御信号）を赤外線信号として送出する。さらに制御部１０４では、計時部１０８を参照して、電気製品毎の電源ＯＮ／ＯＦＦ制御信号の送出時刻をメモリ１０６に記憶させるとともに、記憶された電源ＯＮ／ＯＦＦ制御信号の送出時刻をもとに、各電気製品の電源ＯＮ時間及び待機時間（電源ＯＦＦ時間）を算出する。また、この時、制御している電気製品に対して電源ＯＮの制御をしているか電源ＯＦＦ（待機状態）の制御をしているかの状態を表示部１０２に表示させる。さらに、電源ＯＮ時間及び待機時間の累積結果やキー操作部１０５から入力された定格電力や待機電力、単位電力量あたりの電気料金などの各種情報やそれらの情報から計算された使用電力量や電気使用料金をメモリ１０６に記憶させ、算出された電気使用料金等の情報を表示部１０２に表示させる。また、外部電池１０７は、携帯機器１００に電源を供給するものであり、無線部１０３は、携帯電話機の音声情報やメールなどの非音声情報を無線信号に変換し基地局との通信を行う。
【００２１】
次に、図２のフローチャート図及び図３のタイミングチャート図を参照して、本実施例の携帯機器１００の動作について説明する。なお、一般に電気製品のリモコンでは電源をＯＮさせる信号とＯＦＦさせる信号とは共通になっているため、リモコンモードに設定して最初の電源ＯＮ／ＯＦＦ制御信号が送出された時刻を電源ＯＮ時刻とし、次に電源ＯＮ／ＯＦＦ制御信号が送出された時刻を電源ＯＦＦ時刻と判定し、それ以降に電源ＯＮ／ＯＦＦ制御信号が送出された場合は、順次電源ＯＮ、電源ＯＦＦに判定していくものとする。
【００２２】
まず、ステップＳ２０１で、携帯機器１００で制御する電気製品の電源がＯＦＦになっていることを確認し、携帯機器１００をリモコンモードに設定する。なお、ここでは初期状態を電源ＯＦＦの状態としているため、電気製品の電源がＯＦＦになっていることを確認しているが、初期状態を電源ＯＮの状態としてもよい。
【００２３】
次に、ステップＳ２０２で、使用者が携帯機器１００のキー操作部１０５を操作して電源ＯＮ／ＯＦＦ制御に割り当てられたキーを押すと、制御部１０４は、メモリ１０６からリモコン制御データを呼び出して赤外線リモコン回路１０１に送出し、赤外線リモコン回路１０１は、制御データに応じた電源ＯＮ／ＯＦＦ制御信号（図４の電源ＯＮ／ＯＦＦ制御信号１）を赤外線信号として送出する。また、ステップＳ２０３で、制御部１０４は、計時部１０８から現在の時刻を取得し、電源ＯＮ／ＯＦＦ制御信号を送出した時刻を電源ＯＮ時刻としてメモリ１０６に記憶させる。
【００２４】
この時、表示部１０２に現在制御中の電気製品が電源ＯＮ状態なのか電源ＯＦＦ状態（待機状態）なのか、携帯機器１００側で判定している状態を表示するようにしてもよい。図５は携帯機器１００の表示部１０２に表示される画面の一例であり、図の下側に各々のキーのリモコン機能を表示しており、右上に制御中の電気製品の電源状態（図では電源ＯＮの状態）を表示している。もし、実際の電気製品の状態と表示部１０２に表示されている状態とが異なっている場合には、使用者がキー操作部１０５から正しい状態に修正することが出来るように修正ボタンを設けることもできる。これにより電源ＯＮ時間と電源ＯＦＦ時間の集計精度を向上させることが出来る。
【００２５】
次に、所定の時間経過後、電気製品の電源をＯＦＦにする場合、ステップＳ２０４で、使用者がキー操作部１０５の所定のキーを押すと、制御部１０４は、メモリ１０６からリモコン制御データを呼び出して赤外線リモコン回路１０１に送出し、赤外線リモコン回路１０１は、制御データに応じた電源ＯＮ／ＯＦＦ制御信号（図４の電源ＯＮ／ＯＦＦ制御信号２）を赤外線信号として送出する。また、ステップＳ２０５で、制御部１０４は、計時部１０８から現在の時刻を取得し、電源ＯＮ／ＯＦＦ制御信号を送出した時刻を電源ＯＦＦ時刻としてメモリ１０６に記憶させる。
【００２６】
次に、ステップＳ２０６で、制御部１０４は、ステップＳ２０３で記憶した電源ＯＮ時刻とステップＳ２０５で記憶した電源ＯＦＦ時刻とをメモリ１０６から呼び出し、電源ＯＦＦ時刻から電源ＯＮ時刻を減算して、電源ＯＮ時間（図４の電源ＯＮ時間１）を算出する。
【００２７】
次に、所定の時間経過後、電気製品の電源をＯＮにする場合、ステップＳ２０７で、使用者がキー操作部１０５の所定のキーを押すと、制御部１０４は、メモリ１０６からリモコン制御データを呼び出して赤外線リモコン回路１０１に送出し、赤外線リモコン回路１０１は、制御データに応じた電源ＯＮ／ＯＦＦ制御信号（図４の電源ＯＮ／ＯＦＦ制御信号３）を赤外線信号として送出する。また、ステップＳ２０８で、制御部１０４は、計時部１０８から現在の時刻を取得し、電源ＯＮ／ＯＦＦ制御信号を送出した時刻を電源ＯＮ時刻としてメモリ１０６に記憶させる。
【００２８】
次に、ステップＳ２０９で、制御部１０４は、ステップＳ２０５で記憶した電源ＯＦＦ時刻とステップＳ２０８で記憶した電源ＯＮ時刻とをメモリ１０６から呼び出し、電源ＯＮ時刻から電源ＯＦＦ時刻を減算して電源ＯＦＦ時間（図４の待機時間１）を算出する。
【００２９】
以下同様に、所定の時間経過後、電気製品の電源をＯＦＦにする場合は、ステップＳ２０４以降の処理を行う。そして、上記の手順で判定した電源ＯＮ時間および電源ＯＦＦ時間（待機時間）は予め設定された期間（たとえば１ヶ月）に渡って積算され、メモリ１０６に記憶される。
【００３０】
また、制御部１０４では、ステップＳ２１０で、予め定められた時間毎、又は使用者に指示されて時に、電源ＯＮ時間と定格電力の積と、待機時間と待機電力の積を合計することによって消費電力量を求めてメモリ１０６に記憶させると共に、必要に応じてステップＳ２１１で表示部１０２に電源ＯＮ時間や電源ＯＦＦ時間、消費電力量などを表示する。この時、単位電力量あたりの電気料金を予め入力しておくことによって、その電気製品の一定期間内における概略の使用電気料金を求めることができ、図６に示すような画面を表示部１０２に表示することが可能となる。なお、定格電力や待機電力、単位電力量あたりの電気料金は、予め各電気製品の製品カタログやメーカーのホ−ムページなどから確認して、キー操作部１０５を用いて入力し、メモリ１０６に記憶させておけばよい。
【００３１】
上記フローでは、携帯機器１００から送信された赤外線信号が正しく電気製品側に認識されるものとして説明したが、赤外線信号が正しく電気製品側に認識されなかった場合などには図４に示すように、再度電源ＯＮ／ＯＦＦ制御信号を送出する場合があるため、制御部１０４では、最初の電源ＯＮ／ＯＦＦ制御信号から次の電源ＯＮ／ＯＦＦ制御信号の送出までの時間Ｔが予め定められた時間Ｔ１（たとえば３秒など）以下であった場合には、最後に入力された電源ＯＮ／ＯＦＦ制御信号を電源ＯＮ、電源ＯＦＦ状態変化の判定として有効とするように制御することもできる。このような制御を行うことによって、さらに電源ＯＮ時間、待機時間の測定精度を向上させることができる。
【００３２】
また、上記手順は、電気製品が本実施例の携帯機器１００のみによって制御される場合であるが、例えば、電気製品が他の携帯機器や赤外線リモコンによって電源がＯＮ／ＯＦＦされたり、電気製品に備えるタイマーなどによって電源がＯＮ／ＯＦＦされた場合には、本実施例の携帯機器１００では電気製品の電源ＯＮ／ＯＦＦ状態を間違って認識してしまう場合も考えられる。そのような場合には、携帯機器１００のキー操作部１０５に修正ボタンを設けておき、電源ＯＮ／ＯＦＦ状態を修正できるようにすることもできる。例えば、ステップＳ２０５で電源ＯＦＦ時刻を記憶した後、電気製品のタイマーによって電源がＯＮになった場合、修正ボタンを押すと、制御部１０４はステップＳ２０８で現在の時刻を電源ＯＮ時刻としてメモリ１０６に記憶して以降の処理を実行するように制御することもできる。
【００３３】
以上により、携帯機器１００の赤外線リモコン機能を使用して電気製品の電源ＯＮ／ＯＦＦやその他の制御を行うことによって、容易にその電気製品の概略の電源ＯＮ／ＯＦＦ時間や消費電力量、電気料金などを知ることが出来る。また、複数の電気製品を制御可能な場合には、それらの電気製品ごとに電源ＯＮ時間や待機時間の集計を行い、定格電力や待機電力を設定することによって、概略の消費電力量や使用電気料金を知ることが可能となる。
【００３４】
なお、上記説明では、赤外線リモコンの電源ＯＮ信号と電源ＯＦＦ信号とを同じ信号としたが、これらが異なる信号の場合も同様に適用することができる。また、上記フローでは、電源ＯＮ時刻又は電源ＯＦＦ時刻の記憶後に個別に電源ＯＮ時間又は電源ＯＦＦ時間を算出したが、電源ＯＮ時間又は電源ＯＦＦ時間の算出をその都度行わずに、使用電力量や電気料金の算出時に行うようにしてもよい。また、上記フローでは、使用電力量を正確に算出するために電源ＯＦＦ状態の消費電力量も算出したが、待機電力が小さい場合には電源ＯＦＦ状態の消費電力量の算出を省略してもよい。
【実施例２】
【００３５】
次に、本発明の第２の実施例に係る赤外線リモコン機能付き携帯機器及び該携帯機器を利用した電気製品の使用電力量測定方法について、図７を参照して説明する。図７は、本発明の赤外線リモコン機能付き携帯機器１００を用いたシステムの構成を模式的に示す図である。
【００３６】
図７に示すように、本実施例のシステムは、前記した第１の実施例に示した携帯機器１００と、携帯機器１００から送信される情報を受信する基地局１０９と、パーソナルコンピュータなどのコンピュータ機器１１１と、基地局１０９とコンピュータ機器１１１とを繋ぐインターネットなどの通信ネットワーク１１０とで構成される。
【００３７】
電源ＯＮ時間の積算や消費電力量の計算等の処理については携帯機器１００内で処理することも可能であるが、携帯機器１００の大きさやコストを考慮して、本実施例に記載された処理の一部を外部のコンピュータ機器１１１で実行することもできる。携帯機器１００が携帯電話機である場合には、電気製品を識別する情報と電源ＯＮ／ＯＦＦ制御信号が送出された時刻、電源ＯＮ状態か電源ＯＦＦ状態（待機状態）かを示す情報などの消費電力量や電気料金を算出するために必要な情報が携帯機器１００の無線部１０３から基地局１０９を介して、通信ネットワーク１１０に接続されたコンピュータ機器１１１に送信される。コンピュータ機器１１１では、携帯機器１００から送信された情報と予め記憶された電気製品ごとの定格電力および待機電力、単位電力あたりの電気料金などの情報をもとに、一定期間内の概算の使用電力量と電気料金を算出して表示手段に表示する。
【００３８】
このようなシステムを用いることにより、携帯機器１００の処理量や情報記憶量を減らすことができるため、携帯機器１００の負荷を軽減することができる。また、算出した使用電力量や電気料金などに加えて、コンピュータ機器１１１にネットワーク接続されている他の電気製品の情報などを加味して合計の使用電力量や電気料金などを算出したり、これらの情報を整理して表示することができるため、本発明の赤外線リモコン機能付き携帯機器及び該携帯機器を利用した電気製品の使用電力量測定方法を更に有効に活用することができる。
【００３９】
なお、上記各実施例では、本発明の携帯機器１００を携帯電話機として説明したが、携帯機器１の種類は限定されず、ＰＤＡなどの携帯端末機器などとすることもできる。また、上記実施例では、電気製品を制御する信号を赤外線信号として送信する場合について示したが、電気製品に無線通信機能を備える場合は、無線を用いて通信を行ってもよいし、電気製品側から電源ＯＮ／ＯＦＦの状態を示す信号を送信し、携帯機器１００で受信するようにしてもよい。
【図面の簡単な説明】
【００４０】
【図１】本発明の第１の実施例に係る携帯機器の構成を示すブロック図である。
【図２】本発明の第１の実施例に係る携帯機器を利用した使用電力量の測定手順を示すフローチャート図である。
【図３】本発明の第１の実施例に係る携帯機器を利用した電源ＯＮ／ＯＦＦ制御信号の送出と電源ＯＮ時間及び待機時間を計測する方法を説明する図である。
【図４】本発明の第１の実施例に係る携帯機器を利用した電源ＯＮ／ＯＦＦ制御信号の送出と電源ＯＮ時間及び待機時間を計測する他の方法を説明する図である。
【図５】本発明の第１の実施例に係る携帯機器の表示部の画面構成例を示す図である。
【図６】本発明の第１の実施例に係る携帯機器の表示部の他の画面構成例を示す図である。
【図７】本発明の第２の実施例に係る携帯機器を含むシステムの構成を模式的に示す図である。
【符号の説明】
【００４１】
１００  携帯機器
１０１  赤外線リモコン回路
１０２  表示部
１０３  無線部
１０４  制御部
１０５  キー操作部
１０６  メモリ
１０７  外部電池
１０８  計時部
１０９  基地局
１１０  通信ネットワーク
１１１  コンピュータ機器
【図１】
2005347839.tif 000003
【図２】
2005347839.tif 000004
【図３】
2005347839.tif 000005
【図４】
2005347839.tif 000006
【図５】
2005347839.tif 000007
【図６】
2005347839.tif 000008
【図７】
2005347839.tif 000009